(57)【要約】【課題】通常のステンドグラスの美的外観性に加えて、さらに美術的または宣伝的な効果を付加した装飾ガラス板を提供する。【解決手段】ステンドグラスＴと、このステンドグラスＴの表面に設けられた装飾部２４〜２７とを備えている。これらの装飾部２４〜２７は、基板となる、例えば銅板のような金属板２８と、この金属板２８の表面に付着された半田Ｈ２とから構成されている。これらの装飾部２４〜２７は、ステンドグラスＴの表面に接着されている。【選択図】図１
2010158829.tif 000002
【特許請求の範囲】
【請求項１】
所定の形状にカットされた複数のガラスピースどうしを、半田と該半田が付着可能な金属部材とからなる縁取り部により接合してなるステンドグラスと、前記ステンドグラスの表面に設けられた装飾部とを備え、
前記装飾部は、基板となる金属板と、前記金属板の表面に付着された半田とから構成され、
前記装飾部が、前記基板の裏面に設けた接着層により前記ステンドグラスの表面に接着されていることを特徴とするステンドグラスを用いた装飾ガラス板。
【請求項２】
前記装飾部が、前記ステンドグラスを構成する少なくとも２つの前記ガラスピースに亘って前記ステンドグラスの前記表面上に設けられるとき、前記ガラスピースどうしを接合している前記縁取り部に前記装飾部の前記基板を半田付けして固定されている請求項１記載のステンドグラスを用いた装飾ガラス板。
【請求項３】
前記装飾部が、前記ステンドグラスをその表面から見たとき、文字および図画のいずれか若しくはそれらの組み合わせである請求項１または２に記載のステンドグラスを用いた装飾ガラス板。
【請求項４】
前記装飾部が、前記基板の前記表面に付着している前記半田の表面を物理的表面加工または化学的表面処理をして形成されている請求項１〜３のいずれかに記載のステンドグラスを用いた装飾ガラス板。
【請求項５】
前記装飾部が、前記基板およびその前記表面に付着した前記半田のいずれか一方若しくは両方が、所定の厚みを有し、前記ステンドグラスの前記表面上に盛り上がって形成されている請求項１〜４のいずれかに記載のステンドグラスを用いた装飾ガラス板。
【発明の詳細な説明】
【技術分野】
【０００１】
本発明は、ステンドグラスを用いた装飾ガラス板に関し、更に詳細には、ステンドグラスの表面上に文字や図画などの装飾部を施した装飾ガラス板に関する。
【背景技術】
【０００２】
教会、ビルなどの建造物や一般住宅において、装飾物としてステンドグラスが用いられることがある。ステンドグラスは、図柄に基づいて予め所定の形状にカットしたガラスピースどうしを平板状或いは立体形状に接合して形成されている。このようなステンドグラスは、ここでその構造を説明する必要がない程に周知であるので、その詳細な構造の説明は省略する。かかるステンドグラスを用いた装飾物の一例として、特許文献１に開示された「パネル、額及び額パネル」の発明が知られている。この特許文献１に記載された発明は、従来のステンドグラスの裏面に照明装置を配置して裏面から表面へ向かって人工の光を透過させ、自然光の当たらない場所でもステンドグラスによる装飾効果を満喫し得るようにしたものである。
【先行技術文献】
【特許文献】
【０００３】
特開平５−３２９０４２号公報
【発明の概要】
【発明が解決しようとする課題】
【０００４】
しかし、特許文献１に記載された発明は、一般的なステンドグラスであることに変わりはなく、その装飾効果は、従来のステンドグラスとまったく同じであった。そのため、今までのステンドグラスが持つ装飾効果に加え、更にその表面上に別な装飾部を付加することにより一層の美術的又は宣伝的な効果を得ることのできる装飾ガラス板の開発が望まれていた。
【０００５】
本発明の目的は、かかる要望に応えて開発されたもので、ステンドグラスの表面上に本来のステンドグラスでは持ち得ない文字や図画などの装飾部を従来のステンドグラス製作技術を用いずに施し、通常のステンドグラスの美的外観性に加えて、さらに美術的又は宣伝的な効果を付加した装飾ガラス板を提供することにある。
【課題を解決するための手段】
【０００６】
本発明の装飾ガラス板は、所定の形状にカットされた複数のガラスピースどうしを、半田と該半田が付着可能な金属部材とからなる縁取り部により接合してなるステンドグラスと、前記ステンドグラスの表面に設けられた装飾部とを備え、前記装飾部は、基板となる金属板と、前記金属板の表面に付着された半田とから構成され、前記装飾部が、前記基板の裏面に設けた接着層により前記ステンドグラスの表面に接着されていることを特徴としている。
【０００７】
本発明の装飾ガラス板における一実施形態としては、前記装飾部が、前記ステンドグラスを構成する少なくとも２つの前記ガラスピースに亘って前記ステンドグラスの前記表面上に設けられるとき、前記ガラスピースどうしを接合している前記縁取り部に前記装飾部の前記基板を半田付けして固定されている。
【０００８】
本発明の装飾ガラス板における他の実施形態としては、前記装飾部が、前記ステンドグラスをその表面から見たとき、文字および図画のいずれか若しくはそれらの組み合わせである。
【０００９】
本発明の装飾ガラス板における他の実施形態としては、前記装飾部が、前記基板の前記表面に付着している前記半田の表面を物理的表面加工または化学的表面処理をして形成されている。
【００１０】
本発明の装飾ガラス板における他の実施形態としては、前記装飾部が、前記基板およびその前記表面に付着した前記半田のいずれか一方若しくは両方が、所定の厚みを有し、前記ステンドグラスの前記表面上に盛り上がって形成されている。
【発明の効果】
【００１１】
本発明のステンドグラスを用いた装飾ガラス板によれば、ステンドグラスの表面に装飾部が設けられ、その装飾部は、基板となる金属板と、金属板の表面に付着された半田とから構成され、基板の裏面に設けた接着層によりステンドグラスの表面に接着されているので、従来のステンドグラスには存在し得なかった文字や図画などを表す装飾部をステンドグラスの表面上に浮き上がるように設けることができる。これにより、ステンドグラスが持つ本来的な美的装飾効果に加えて、更にその装飾部による美的効果又は宣伝的効果を発揮することができる。
【００１２】
また、本発明のステンドグラスを用いた装飾ガラス板によれば、装飾部が、ステンドグラスを構成する少なくとも２つのガラスピースに亘ってステンドグラスの表面上に設けられるとき、ガラスピースどうしを接合している縁取り部に装飾部の基板を半田付けして固定されているので、装飾部はステンドグラス側に確実に固定される。
【００１３】
本発明のステンドグラスを用いた装飾ガラス板によれば、装飾部が、ステンドグラスをその表面から見たとき、文字および図画のいずれか若しくはそれらの組み合わせであるので、本来のステンドグラスの美的外観性に加えて、さらに美術的又は宣伝的な効果を期待することができる。
【００１４】
本発明のステンドグラスを用いた装飾ガラス板によれば、装飾部が、基板の表面に付着している半田の表面を物理的表面加工または化学的表面処理をして形成されているので、ステンドグラスよりも浮き上がっている装飾部は、ガラスピースどうしを接合している半田と素材感を同じとしつつも視覚的に強調されたものとなる。
【００１５】
本発明のステンドグラスを用いた装飾ガラス板によれば、装飾部が、基板およびその表面に付着した半田のいずれか一方若しくは両方が、所定の厚みを有し、ステンドグラスの表面上に盛り上がって形成されているので、ステンドグラスが本来持っている平面的な美的外観性に加えて、全体として厚み感、立体感を兼ね備えたものとなる。
【図面の簡単な説明】
【００１６】
【図１】本発明の実施形態に係るステンドグラスを用いた装飾ガラス板を示す平面図である。
【図２】図１に示される装飾ガラス板の一構成要素であるステンドグラスの平面図である。
【図３】図２に示されるステンドグラスをＡ―Ａ線で切断して示す端面図である。
【図４】図１に示される装飾ガラス板をＢ―Ｂ線で切断して示す端面図である。
【発明を実施するための形態】
【００１７】
以下、本発明のステンドグラスを用いた装飾ガラス板（以下、「装飾ガラス板」と称する）を図に示される実施形態についてさらに詳細に説明する。図１は、本発明の一実施形態に係る装飾ガラス板Ｓを示し、装飾ガラス板Ｓは、周知のステンドグラスＴの表面に、４つの装飾部２４〜２７を接着剤により接着したものである。まず、ステンドグラスＴについて簡単に説明する。なお、ステンドグラスＴは、多数のガラスピースを接合させて構成されるが、説明に適したガラスピースにのみ符号を付す。図２、図３に示すように、所定の形状にカットされた複数のガラスピース１３，１６，１８，１９，２０，２１，２２の縁部は、半田が付着可能な金属部材としてのコパ―テープ３１で縁取られている。そして、縁部の形状がほぼ一致するガラスピース１３，１８、ガラスピース１３，１６、ガラスピース１３，１９、ガラスピース１９，２０、ガラスピース２０，２１、ガラスピース２０，２２の各縁部どうしは近接対峙され、その対峙している個所のコパ―テープ３１どうしが半田Ｈ１によって接合されている。
【００１８】
コパ―テープ３１は、銅製の薄いテープで、一方の面は粘着性を有しており、その幅寸法は、ガラスピースの厚み寸法よりも幅広である。このようなコパ―テープ３１は、ガラスピースごとに、周面の全周およびその周面から表裏面側に続く周囲表裏面部に沿って密着するように貼り付けられている。コパ―テープ３１の接着に際しては、コパ―テープ３１の延びる方向に沿う両縁部が、ガラスピースの表面側、裏面側のどちらの周囲表裏面部においても同じ幅寸法だけ折り曲げられて表裏面に密着するようにしている。
【００１９】
ガラスピース１３，１８、ガラスピース１３，１６、ガラスピース１３，１９、ガラスピース１９，２０、ガラスピース２０，２１、ガラスピース２０，２２どうしの間には幅０．５ｍｍほどの隙間が開けられており、この隙間に半田Ｈ１がガラスピースの表面側から施されている。ガラスピースの表面には、半田Ｈ１の盛り上がり部２３が形成されている。この盛り上がり部２３は、ガラスピースの表面に貼り付けられたコパ―テープ３１の縁部を覆い隠している。上述した半田付けは、ガラスピースの裏面側からも行われ、半田Ｈ１とコパ―テープ３１とは、各ガラスピースどうしを接合する縁取り部となっている。
【００２０】
盛り上がり部２３の幅寸法は、ガラスピースの表裏面に貼り付けられたコパ―テープ３１の幅寸法とほぼ一致している。図２において、ガラスピースどうしの境目は、施された半田Ｈ１が固まって形成された盛り上がりであり、円状の４つのカットラインの上に形成された盛り上がり部６〜１０の幅寸法は、他のガラスピースどうしの境目の盛り上がり部よりも太くされ、外観が強調されている。
【００２１】
図１において、ステンドグラスＴの表面には、円状の半田の盛り上がり部６〜１０の近傍若しくはそれを横断するように装飾部２４〜２７が配置されている。装飾部２４〜２７は、ステンドグラスＴをその表面から見たときに上から順に、草書文字「春」、「夏」、「秋」、「冬」を表している。なお、装飾部２４〜２７はいずれも同じ構成なので、「冬」を表している装飾部２７を例にして説明する。図４に示すように、装飾部２７は、２つのガラスピース１３，１６に亘ってステンドグラスＴの表面上に設けられている。装飾部２７は、草書文字の「冬」に倣って切断された基板としての銅板２８を有している。
【００２２】
銅板２８の表面には、全面にわたって半田Ｈ２が施されている。銅板２８および半田Ｈ２は共に約２ｍｍの厚みを有している。銅板２８の裏面は、２つのガラスピース１３，１６の表面に接着層により接着されている。装飾部２７は、さらに、ガラスピース１３とガラスピース１６とが接合して半田Ｈ１が盛り上がっているところ（接合部）においては、銅板２８の裏面が半田Ｈ１によって半田付けされて固定されている。この箇所の半田Ｈ１は、ガラスピース１３，１６の接合部に対して裏面側から施される。すなわち、半田Ｈ１は、ガラスピース１３，１６どうしの隙間から表面側へ溶融状態で出てきたところで銅板２８に付着する。なお、図３および図４では、コパ―テープ３１、半田Ｈ１の配置関係を明確にするために、隙間寸法、盛り上がり寸法を誇張している。
【００２３】
装飾部２４〜２７の表面は、黒色を呈するように二酸化セレンを含有した研磨剤を用いて研磨（表面処理）され、墨汁で文字を表したような風合いを出している。上記の研磨剤には、銅色を増すもの、赤銅色にするものなども市販されているので、それらを用いてもよい。装飾部２４〜２７が取り付けられたステンドグラスＳの外周には、半田Ｈ３が全周にわたって施されている。この半田Ｈ３の外周には、図示されていないフレーム材が取り付けられる。各ガラスピースどうしは、半田Ｈ１によって直に接合しているのではなく、半田Ｈ１およびＨ３によって、ガラスピース面に沿った方向へのガタつきが起きないように、半田Ｈ１，Ｈ３からなる支持部材に嵌め込まれた状態にある。そのため、ガラスピース面と交差する方向から作用する力には抵抗力が比較的弱い。そこで、美的外観を考え合わせながら半田Ｈ１の盛り上がり部２３を厚く、かつ太くすることで、支持部材としての強度を増すようにしてもよい。
【００２４】
上述した実施形態の装飾ガラス板Ｓによれば、装飾部２４〜２７がガラスピース１１〜１６等からなるステンドグラスＴの表面から浮き上がるように設けられているので、ステンドグラスＴが持つ本来的な美的装飾効果に加えて、更にその装飾部２４〜２７による美的効果又は宣伝的効果を発揮することができる。また、装飾部２４〜２７の表面には半田が付着されているので、ガラスピースよりも浮き上がるように設けられている装飾部２４〜２７は、ガラスピースどうしを接合している半田Ｈ１の盛り上がり部と同じような素材感をもつこととなり、装飾部２４〜２７に浮き上がり感がありながら、統一のとれた美的外観性をもつ。また、金属板２８の少なくとも一部分が、金属部材としてのコパ―テープ３１に半田付けされているので、金属板２８はガラスピース１３，１６側に確実に固定される。
【００２５】
さらに、金属板２８の表面に付着した半田Ｈ２が、ステンドグラスＴの表面から見たときに文字「春」、「夏」、「秋」および「冬」を表すので、注目を集めると同時に何らかのメッセージを伝えやすい。加えて、金属板２８の表面に付着した半田Ｈ２が、その表面を化学的表面処理されているので、ガラスピースよりも浮き上がるように設けられている装飾部２４〜２７は、ガラスピースどうしを接合している半田Ｈ１と同じような素材感を表しながら、かつ装飾部２４〜２７を強調させることができる。また、装飾部２４〜２７の基板である金属板およびその表面に付着した半田Ｈ２の両方が、約２ｍｍという所定の厚みを有し、ステンドグラスＴの表面上に盛り上がるように形成されているので、ステンドグラスＴが本来持っている平面的な美的外観性に加えて、全体として厚み感、立体感を兼ね備えたものとなっている。
【００２６】
なお、本実施例では、装飾部の一部を構成する金属板の一部分が、コパ―テープに半田付けされ、他の部分は接着剤によってガラスピースに貼り付けられているが、接着剤を用いずに、金属板を半田付けのみで、ガラスピース側に固定するように、ガラスピースのカットラインを工夫創作してもよい。また、ガラスピースどうしの接合に、コパ―テープを用いているが、断面形状がＨ字状、Ｕ字状の銅製枠材（いわゆるケイムと呼ばれる部材）を用いてもよい。また、装飾部には、文字に限らず、方向を示す矢印や模様等の様々な図画を描いてもよい。
【００２７】
さらに、装飾部には、上述の二酸化セレン含有物による表面処理のほか、銅が硝酸や硫酸によって腐食することを利用したいわゆるエッチングによる表面処理をすることもできる。また、例えば、アルファベット文字で「Ｗｅｌｃｏｍｅ」と表した装飾部の上に、「いらっしゃいませ」を表す点字を打刻するなどの物理的表面加工をして、視覚に訴えるとともに、触覚からもメッセージが伝わるようにしてもよい。ステンドグラスは、建物の内部だけではなく、様々な場所に取り付けることができ、その美的外観性によって人目を引く機会が多いので、本発明に係るステンドグラスを用いた装飾ガラス板を店舗の玄関などに取り付けて、アピール性を向上させることもできる。
【符号の説明】
【００２８】
１３，１６，１８，２０，２１，２２    ガラスピース
２４，２５，２６，２７    装飾部
２８    銅板（金属板）
３１    コパ―テープ（金属部材）
Ｈ１，Ｈ２，Ｈ３    半田
Ｓ    ステンドグラスを用いた装飾ガラス板
Ｔ    ステンドグラス
【図１】
2010158829.tif 000003
【図２】
2010158829.tif 000004
【図３】
2010158829.tif 000005
【図４】
2010158829.tif 000006